(57)【要約】  テレテキストページを選択する方法において、ユーザは、所望のテレテキストページ番号における少なくとも第１の桁を入力し、ページ番号とその所望される対応のページの可能性の値との組み合わせを有するテーブル（３３）が参照される。テーブル（３３）は、前に選択されたページのヒストグラムである。完全なテレテキストページ番号は、所望のテレテキストページ番号の一部が入力された後にその可能性の値に基づいてテーブル（３３）から選択され、現に表示されるページに依拠して決定されうる。見込み情報はまた、「ザップ」（切換）ボタンによりページ選択に用いることができる。このボタンが押圧されると、次に可能性の高いページが表示される。
2005510906.tif 000002
【特許請求の範囲】
【請求項１】
ユーザが所望テレテキストページ番号における少なくとも第１の桁を入力し、ページ番号と所望されている対応ページの確率値との組み合わせを有するテーブルが参照されるテレテキストページ選択方法であって、当該所望のテレテキストページ番号の一部が入力された後に前記テーブルから前記確率値に基づいて完全なテレテキストページ番号が選択される、方法。
【請求項２】
請求項１に記載の方法であって、当該入力された桁を有する完全なテレテキストページ番号が選択される、方法。
【請求項３】
請求項１に記載の方法であって、前記確率値は、当該対応ページが選択された回数の計算に基づくものであり、前記確率値は、当該対応ページの各選択の後に更新される、方法。
【請求項４】
請求項１又は２に記載の方法であって、現在選択されているページの番号が判定され、当該現在選択されているページの番号に応じた前記確率値についての完全なテレテキストページ番号を前記テーブルから選択するための基礎として用いられる、方法。
【請求項５】
請求項１ないし４のうちいずれか１つに記載の方法であって、現在選択されているページの内容が判定され、当該現在選択されているページの内容に応じた前記確率値についての完全なテレテキストページ番号を前記テーブルから選択するための基礎として用いられる、方法。
【請求項６】
請求項１ないし５のうちいずれか１つに記載の方法であって、現在選択されているチャネルが判定され、当該現在選択されているチャネルに応じた前記確率値についての完全なテレテキストページ番号を前記テーブルから選択するための基礎として用いられる、方法。
【請求項７】
請求項１ないし６のうちいずれか１つに記載の方法であって、当該完全なテレテキストページ番号に対応するテレテキストページは、所定の時間インターバルの間にページ選択コマンドが入力されない場合に現在のページとなる、方法。
【請求項８】
請求項１ないし７のうちいずれか１つに記載の方法であって、当該完全なテレテキストページ番号が所望のテレテキストページ番号であることが示されたときに、前記確率値に基づいて前記テーブルから第２の完全なテレテキストページ番号が選択される、方法。
【請求項９】
請求項１ないし８のうちいずれか１つに記載の方法であって、前記確率値に基づいて前記テーブルから他の複数の完全なテレテキストページ番号が選択され、その選択されたページ番号が選択のためにユーザに提示される、方法。
【請求項１０】
所望のテレテキストページ番号における少なくとも第１の桁を入力するためのユーザコントロールに応答する入力と、ページ番号と所望されている対応ページの確率値との組み合わせのテーブルを含むメモリと、プロセッサとを有するテレテキスト受信機であって、当該所望テレテキストページ番号の一部が入力された後に前記テーブルから完全なテレテキストページ番号の選択を行う自動仕上げ機能を有する受信機。
【請求項１１】
請求項１ないし９のうちいずれか１つに記載の方法を実行するよう構成されたテレテキスト受信処理器。
【請求項１２】
プログラマブル処理器にロード可能なコンピュータプログラムであって、前記プログラマブル処理器は、請求項１ないし９のうちいずれか１つに記載の方法を実行することが可能であり又は該方法を実行するよう構成されている、プログラム。
【請求項１３】
請求項１ないし９のうちいずれか１つに記載のテレテキスト受信機を有するテレビジョンセット。
【発明の詳細な説明】
【技術分野】
【０００１】
本発明は、ユーザが所望テレテキストページ番号における少なくとも第１の桁を入力し、ページ番号と所望されている対応ページの可能性又は見込みを表す指標すなわち確率値との組み合わせを有するテーブルが参照されるテレテキストページ選択方法に関する。
【０００２】
本発明はまた、所望のテレテキストページ番号における少なくとも第１の桁を入力するためのユーザコントロールに応答する入力と、ページ番号と所望されている対応ページの可能性又は見込みを表す指標すなわち確率値との組み合わせのテーブルを含むメモリと、プロセッサとを有するテレテキスト受信機に関する。
【０００３】
本発明はさらに、テレテキスト受信処理器、コンピュータプログラム及びテレビジョンセットに関する。
【背景技術】
【０００４】
上述した種類の方法、システム、テレテキスト受信処理器、プログラム及びテレビジョンセットの例は知られている。英国特許出願公開公報（ＧＢ−Ａ−２  ２７２  ６１６）は、テレテキスト受信機を開示している。この受信機は、ページ識別情報のユーザ選択の相対的頻度を示す情報を記憶するページ選択メモリを有している。また、最も頻繁に選択されたページの識別情報に対応するテレテキストページを記憶するページメモリも有している。さらに、この受信機は、当該ページメモリに記憶されている対応のテレテキストページについてのページ識別情報のユーザ選択に応じて表示のために当該ページメモリから当該テレテキストページを検索する手段を有する。ページセレクタは、ユーザ制御に応答して、ユーザにより選択されたページ番号、ユーザにより選択されたテレビチャネル番号及び新しいページ又はチャネル選択がなされたことを示す選択信号を出力する。
【０００５】
この既知の受信機は、テレテキストページ番号を入力するときにユーザが被る不便さに対処するものではない。テレテキストページ番号の手動操作による選択は、通常のテレテキストの使用においてまだ頻繁に行われるものである。かかるページ番号を入力する場合、ユーザは、その新しいページが選択され表示可能となる前に３桁の数字全てを入力しなければならない。その番号の入力における間違いによって、ユーザは、最初から再びその番号の全部を入力し直さなければならなくなる。
【発明の開示】
【発明が解決しようとする課題】
【０００６】
本発明の目的は、請求項１，１０，１１，１２及び１３のそれぞれの前提要件による方法、受信機、処理器、プログラム及びテレビジョンセットであって、簡単な方法でユーザが好みのテレテキストページを選択することのできるものを提供することである。
【課題を解決するための手段】
【０００７】
この目的は、当該所望のテレテキストページ番号の一部が入力された後に前記テーブルから前記確率値に基づいて完全なテレテキストページ番号が選択されるようにした本発明による方法によって達成される。
【０００８】
これにより、ユーザは限られた数のボタンしか押す必要がなくなる。ユーザにより所望されると推定される最も可能性のあるページの番号を有するテーブルが用いられ、後に表示可能となる完全な（全て揃った）テレテキストページ番号が形成される。ユーザは、少ない桁数の入力で済み、ページ選択の処理全体をユーザの間違いの生じる可能性の低いものとする。
【０００９】
本発明による方法の一実施例は、当該入力された桁を有する完全なテレテキストページ番号が選択されるものとしている。
【００１０】
ユーザが「１」を入力すると、その桁の数「１」で始まるテーブルにおける全てのページ番号の確率の値（又は指標）が比較され、最も可能性の高いものが選ばれる。また、限られた数のキー（この場合は１つ）しか、視聴者が望むものであると目される最も可能性の高いページを選ぶために押す必要がなく、その選択は、洗練されたものとなる。ユーザにより入力された情報は、当該テーブルから完全なページ番号を選択するときに反映される。
【００１１】
本発明による方法の一実施例は、前記確率値は、当該対応ページが選択された回数の計算に基づくものであり、前記確率値は、当該対応ページの各選択の後に更新されるものとしている。
【００１２】
したがって、当該確率の値は、特定のユーザ又はユーザグループの見る傾向に基づいたものとなる。これにより、選択された完全なページ番号は実際にユーザが望むテレテキストページ番号である可能性が非常に高くなる。
【００１３】
本発明による方法の他の実施例は、現在選択されているページの番号が判定され、当該現在選択されているページの番号に応じた前記確率値についての完全なテレテキストページ番号を前記テーブルから選択するための基礎として用いられるものとしている。
【００１４】
例えば、ある特定の視聴者がしばしばページ「１００」を見た後にページ「２１１」に切り換えるが、大抵はページ「２１３」を見た後にページ「２１４」に切り換えるとする。この特定ユーザが所望ページのために最初の桁として数「２」を入力すると、本方法は、数「２」を入力して当該ユーザがどのページを見ていたかの確認を行う。これが「１００」であったならば、「２」は「２１１」を形成するように完成され、「２１３」であれば、数「１」，「４」は「２１４」を形成するよう付加される。このように、この実施例は、見る人の傾向を反映させるよう、より細かくカスタマイズ（個別設定）される。
【００１５】
本発明による方法の他の実施例は、現在選択されているページの内容が判定され、当該現在選択されているページの内容に応じた前記確率値についての完全なテレテキストページ番号を前記テーブルから選択するための基礎として用いられるものとしている。
【００１６】
例えば、現在選択されているページが天気情報を含んでいれば、この事実は、他の天気関連ページの番号に対応する確率値に付加的な重みを与えるのに用いられる。このように、追加の時事情報は、選択ページ番号が正に所望ページの番号に相当する可能性を高めることに用いられる。
【００１７】
本発明による方法の他の実施例は、現在選択されているチャネルが判定され、当該現在選択されているチャネルに応じた前記確率値についての完全なテレテキストページ番号を前記テーブルから選択するための基礎として用いられるものとしている。
【００１８】
このように、種々のテレテキストサービスのページ番号の割り当てを異ならせることが反映される。例えば、１のテレテキストサービスにおける天気情報を含むページは、他のチャネルにおいて当該テレテキストサービスが提供されるものと同じ番号を持たないかもしれない。また、視聴者は、スポーツ情報についての１つのテレテキストサービス及び天気情報についてのもう１つのものを見るのに慣れている可能性がある。この実施例も、選択ページ番号が正に所望ページの番号である可能性を高くする。
【００１９】
本発明の他の実施例は、当該完全なテレテキストページ番号に対応するテレテキストページは、所定の時間インターバルの間にページ選択コマンドが入力されない場合に現在のページとされるものとしている。
【００２０】
したがって、この実施例においては、選択した完全なページ番号が所望ページではない場合にユーザが訂正入力する機会を持つ。所望のものではない場合には、ユーザが当該選択ページに同意することを前提として、当該インターバルにおいて例えばページ番号の数値の如きコマンドをもう入力しない。多くのケースにおいて押されるキーの数は同じままとなる。
【００２１】
本発明による方法のさらに他の実施例は、当該完全なテレテキストページ番号が所望のテレテキストページ番号であることが示されたときに、前記確率値に基づいて前記テーブルから第２の完全なテレテキストページ番号が選択されるものとしている。
【００２２】
このようにして、本方法は、最初に選択した完全なページ番号が所望ページ番号でない場合に全て繰り返す必要がない。
【００２３】
本発明による方法のまた他の実施例は、前記確率値に基づいて前記テーブルから他の複数の完全なテレテキストページ番号が選択され、その選択されたページ番号が選択のためにユーザに提示されるものとしている。
【００２４】
かくして、押されるべきキーの数も限定され、当該選択過程も非常にユーザフレンドリなものとなる。但し、概して望まれる可能性の最も高いものと判定されるページ番号は、所定の状況においては実際に所望のページ番号でない場合がある、という事実についても考慮に入れられている。
【００２５】
本発明によるテレテキスト受信機は、当該所望テレテキストページ番号の一部が入力された後に前記テーブルから完全なテレテキストページ番号の選択を行う自動仕上げ機能を有する受信機としている。
【００２６】
このように、本発明による方法は、テレテキスト受信機における機能として実現される。かかる受信機自体は知られている。これら受信機は、例えば、テレビジョンセット、ビデオレコーダ、セットトップボックス又はコンピュータ用ＴＶカードにおいて構成されうる。したがって本発明による方法は、このような装置とともに設けることができる特徴の幅を広げるものであり、特別なハードウェアを必要としない。
【００２７】
本発明によるテレテキスト受信処理器は、請求項１ないし９のうちいずれか１つに記載の方法を行うよう構成される。
【００２８】
したがって、テレテキスト受信機は、本発明による方法の自動的実行を可能とするものである。
【００２９】
本発明によるコンピュータプログラムは、プログラム可能な処理器にロード可能であるので、このようにしてプログラムされたプログラム可能な処理器は、請求項１ないし９のうちいずれか１つに記載の方法を実行可能であり又は実行するよう構成される。
【００３０】
このように、本発明は、プログラム可能なテレテキスト受信処理器に埋設ソフトウェアとして実現することができる。
【００３１】
本発明によるテレビジョンセットは、請求項１ないし９のうちいずれか１つに記載のテレテキスト受信機を有する。
【００３２】
したがって、本発明は、テレテキスト機能とともにテレビジョンセットに組み込まれることができる。１つ又は２つのキーだけを押せばよいので、このようなテレビジョンセットでは遠隔制御ユニット（リモコン）の厄介でかつ苛々させる検索操作が不要となる。
【発明を実施するための最良の形態】
【００３３】
以下、本発明を添付図面に基づき詳しく説明する。
【００３４】
図１は、本発明による方法が実現されているテレビジョンセット及び遠隔制御を示している。
【００３５】
本発明によるテレビジョンセットは、テレテキストのデコード（解読）機能を備えている。ユーザは、リモートコントロールユニット（リモコン）２を用いてテレビジョンセット１にコマンド（命令）を発することができる。リモコン２は、数を入力するための数値キー３を有する。このテレビが通常視聴モードにある場合、キー３はチャネルを切り換えるのに用いられる。テレテキスト機能がオンに切り換えられている場合、数値キー３は、テレテキストページ番号を形成する数を入力するのに用いられる。
【００３６】
テレテキストサービスは、テレビジョンセット１に該セットが受信可能なチャネルの全て又は所定のものについて提供される。本発明は、テレビジョン受信装置の幾つかの構成部が図の形で描かれている図２に示されるような特定のテレテキスト又はＴＶフォーマットに限定されない。かかるテレビジョン受信装置は、テレビジョンセット１の一部とすることができ、或いは、例えばテレビに接続されるセットトップボックスに構成されたり、コンピュータに用いられるＴＶカードの一部とされたり、ビデオレコーダに組み込まれたりすることも可能である。
【００３７】
本発明がアナログＴＶフォーマットに限定されないことを強調すると、図２のテレビジョン受信装置は、ディジタルテレビジョン受信機において通常使われている構成部も有する。
【００３８】
テレビジョン信号は、ネットワークインターフェース４に供給される。これらテレビジョン信号は、ケーブル接続、地上放送又は衛星放送を経由して供給可能である。これらはアナログ又はディジタル形式とすることができる。本発明は、例えばＤＶＢフォーマットやＰＡＬ、ＮＴＳＣなどの現行ＴＶフォーマットのいずれかとともに用いるのに適している。放送方法及び受信可能なＴＶフォーマットに応じて、ネットワークインターフェース４は、チューニング（同調）及び復調用の構成部を有することになる。
【００３９】
アナログＴＶだけが受信可能な場合、ネットワークインターフェース４は、アナログビデオ信号をビデオセレクタ５に供給し、復調されたテレビジョン信号からテレテキスト信号を分離する。このテレテキスト信号は、インターレースＴＶフォーマットの場合は事実上のブランキングインターバルにおいて、又はノンインターレースフォーマットの場合は個別のデータラインにおいて検出される。テレテキストデコーダ６は、当該情報をデコードする。
【００４０】
ページ選択命令のようなコマンドは、バス７及びユーザコントロール８によりテレテキストデコーダ６及びインターフェース４に供給される。テレビジョンセット１のユーザコントロール８は、例えばバス７に接続されるリモコン２及びそのインターフェースを有する。ユーザコントロールの他の変形形態も、本発明の範囲内で可能である。
【００４１】
テレビジョン受信機に用いられるバス規格の例には、ＩＩＣやＰＣＩがある。ビデオセレクタ５もバス７に接続されるので、ユーザコントロール８は、通常テレビ視聴とテレテキストとに切り換えるのに用いることができる。通常テレビ視聴が選択されている場合、ビデオセレクタ５はアナログビデオ信号をビデオドライバ９に供給し、ドライバ９は、例えばテレビジョンセット１の画面への表示に適した出力信号を供給する。テレテキストページを示そうとする場合、テレテキストデコーダ６の出力は、ビデオドライバ９に供給される。
【００４２】
ディジタルテレビジョンは、条件付アクセスモジュール１０並びにデマルチプレックス及びデコードユニット１１を用いることにより受信され、ディジタル放送信号を復調した後にスクランブル解除、圧縮解除及び／又はデコードする。図２の構成はさらに、ディジタル放送信号を有するテレテキストページ、電子プログラムガイド又はオンスクリーン表示などの静止画像及びテキストを表示するために用いることのできるグラフィクスプロセッサ１２を有する。図２はさらに、中央処理器（ＣＰＵ）１３と、ランダムアクセスメモリ１４と、揮発性読出専用メモリ１５と、システム読出専用メモリ１６を示しており、これらは全てバス７に接続される。
【００４３】
図２の構成部のサブセットしか持たない他の種々の構成も、本発明を実現するのに用いることができることは明らかである。また、当該構成部は、物理的にディスクリート部品とする必要はなく、単一のＩＣ又は限られた数のＩＣに集積可能である。また、２つ以上のバスを設けることもできる。
【００４４】
本願においてテレテキスト受信機に言及する場合、フルテキスト信号処理機能を備えるいずれかのデバイス又はデバイスの構成を意味している。処理器なる文言は、実際の命令を実行するデバイス又はデバイスの構成を指すために用いられている。したがって、テレテキスト受信機は、必要なメモリ及び処理機能が設けられる場合にテレテキストデコーダ６のディスクリート部品とすることができる。また、図２の構成全体とし、テレテキスト処理機能が例えばＲＯＭ１６に記憶されるＣＰＵの命令セットにより、又はグラフィクスプロセッサ１２若しくはデマルチプレクス及びデコードユニット１１の命令セットにより設けられるものとすることもできる。
【００４５】
欧州放送連合の規格ＥＴＳ３００７０６準拠テレテキストサービスの構成は、図２に概略的に示される。
【００４６】
テレテキストサービスは、最大８つまでの複数のマガジン１７，１８を有する。ここでのマガジン１７，１８は、複数のページ１９を有する。各ページ１９は、ヘッダパケット２１を含めパケット２０に符号化（エンコード）される。ページ１９の一部ではない他のパケットも用いられる。放送サービスデータパケット２２は、テレテキストサービス全体のプロパティを規定する。マガジン関連データパケット２３は、マガジン１７，１８における全てのページ１９のプロパティを規定する。時間格納ヘッダ２４は、マガジン１７，１８における最終ページ１９の端部を示すために用いられる。
【００４７】
各データパケット２０は、同期シーケンス２５、パケットアドレス２６及びデータ２７を有する。本例におけるパケットアドレス２６は、マガジン番号２８とパケット番号２９とからなる。パケット番号２９は、関係するパケットの種類を示す。例えば、各ヘッダパケット２１は、パケット番号２９をゼロとする。パケット番号２９のこの値から、テレテキスト受信機は、当該パケットのデータ２７がページアドレスを有し、ヘッダパケット２１を具備するが他のパケット全てを具備するものでないことを検知する。このページアドレスは、ページ番号に対応する。これは、値ゼロのパケット番号２９を有する各パケット２０に含まれるデータ２７の最初の８バイトに構成される。
【００４８】
値１ないし２４は、表示可能なパケットのパケット番号２９として確保され、ここではデータ２７がテレテキストページにおいて表示可能なデータからなる。２５と２８との間におけるパケット番号２９の値を有するパケットは、拡張パケットとして指定される。
【００４９】
テレテキスト受信機は、データパケット２０を受信し、それらをテレテキストページ１９のスクリーン画像を構築するのに用いる。ヘッダエリア３１は、ページ番号フィールド３２を含み、これは現在選択されている表示ページ１９の３桁の数字を示す。
【００５０】
本発明によれば、テレテキスト受信機は、テレテキストプロセッサにより実行される命令セットとしてプログラムされる自動コンプリート（仕上げ）機能を有する。表示のために異なるページ１９を選択したいと望むユーザは、リモコン２の数値キー３又はユーザコントロール８の他の実現手段を用いて、所望のテレテキストページ番号における少なくとも最初の桁の数を入力する。この数は、テレテキスト受信機に中継される。上記自動コンプリート機能により、所望のページ番号を形成する桁の数全てを入力する必要はない。このテレテキスト受信機は、所望のページ番号の一部のみ入力した後に完全なページ番号を選択することができる。
【００５１】
テレテキスト受信機は、図５に象徴的に描かれたテーブル３３へのアクセスをなす。テーブル３３は、第１の列３４におけるページ番号と第２の列３５における所望されている対応ページの確率の値（又は指標）との組み合わせを有する。  
【００５２】
図２のテレビジョン受信装置の説明から分かるように、テーブル３３は、ＲＡＭ１４、又はテレテキストデコーダ６、グラフィクスプロセッサ１２若しくはデマルチプレクス及びデコードユニット１１内に構成されるメモリに記憶可能である。これは、本発明を実現するために選ばれる特定のハードウェア構成によって決められる。
【００５３】
テーブル３３のサブセット３６を形成する関連のテーブル登録事項は、初めは以下に詳述する基準により決定される。これらの登録事項は検索され、サブセット３６における登録事項の可能性すなわち確率の値が比較される。これら確率の値に基づいて、所望のページ番号に最も近いと目される完全なページ番号が選択される。
【００５４】
かかる確率の値は、対応するページ１９が選択された回数の計算に基づくのが好ましく、対応ページ１９の各選択の後に更新される。このように、テレテキスト受信機は、ユーザの傾向を「学習」し、除々にカスタマイズされる。初めは、確率の値は、工場での設定として又はテレテキストサービスにより提供される一般的な視聴傾向に基づくものとすることができる。
【００５５】
本発明の範囲においては、複数基準をどのテーブル登録事項が関連するかを判定するために適用することができる。
【００５６】
好ましくは、入力された桁の数を有する完全なテレテキストページ番号の登録事項が検索される。例えば、ユーザが「１」をキー入力すると、サブセット３６は、完全なテレテキストページ番号「１〜」の登録事項を有することになる。このように、ユーザは予備選択をなすが、所望ページ１９の全部の数をキー入力する必要がない。ユーザが３桁のページ番号のうち最初２つの桁を入力するものとしてもよいことは勿論である。これにより、程度は減るにせよ、厄介な選択動作を軽減する効果を保持しつつ予備選択の範囲を狭めることとなる。  
【００５７】
さらなる有効策として、現在選択されているページ１９の番号が判定され、これがテーブル３３から現在選択されているページ１９の番号に応じた確率値についての完全なテレテキストページ番号を選ぶ基礎として用いられる。
【００５８】
本発明のこの実施例においては、テーブル３３は次の表と同様の状態を有することになる。
【００５９】
【表１】
2005510906.tif 000003
【００６０】
現在選択されているページ、すなわち現在のスクリーン画像３０のページ番号フィールド３２において表示されているページが「１００」だとすると、関連するテーブル登録事項は、現在選択ページが「１００」であるところのものである。これは、完全ページ番号「１１２」が選ばれることになることを意味する。何故なら、ページ「１００」から始めて当該完全ページ番号が選ばれた回数ｎがページ「１１３」のものよりもページ「１１２」のものの方が多いからである。逆に、現在選択ページ番号が「２００」であれば、ページ番号「１１３」が選択されることになる。
【００６１】
さらに好ましい実施例においては、現在選択されかつ表示されているページの内容が判定され、これがテーブル３３から現在選択されているページの内容に応じた確率値についての完全なテレテキストページ番号を選択する基礎として用いられる。
【００６２】
こうして、サブセット３６は、現在表示されているページ１９に時事的に関連する登録事項、又は少なくとも当該現ページから論理的に繋がる登録事項を有することになる。
【００６３】
現在選択されているページの内容は、幾つかの手法により判定することができる。簡単な手法の１つは、ページ番号又はマガジン番号２８に基づいてその内容を分類する規則のセットを用い、テレテキスト受信機に利用可能なメモリに記憶されるようにすることである。或いは、拡張パケット内に構成される情報をページ１９の内容を判定するのに用いることができる。一例として、テーブル・オブ・ページ（ＴＯＰ：Table-of-Pages）システムの一部として提供される情報を用いることができ、或いはページ１９の一方と他方との間のリンクに拡張パケットＸ／２７を備えるものとすることができる。
【００６４】
テーブル３３における関連の登録事項を判定する他の好適な基準は、現在選択されているチャネルである。この実施例において、テーブル３３における確率の値は、現在選択されているテレビジョンチャネルに応じたものとなる。テーブル３３からの抜粋は、次のようなものとなる。
【００６５】
【表２】
2005510906.tif 000004
【００６６】
現在のチャネルがチャネル１であると、対応するｎの値が比較され、ページ「１１３」より先にページ「１１２」が選択されることになる。逆に、現チャネルがチャネル２の場合はページ「１１３」が選択されることになる。
【００６７】
確率値に基づいて完全なページ番号が選択されると、その選択されたページが現ページとなり、そのスクリーン画像３０を表示することができる。
【００６８】
好適実施例においては、所定の時間インターバルの間に他のページ選択コマンドが何も入力されない場合に当該完全なテレテキスト番号に対応するテレテキストページ１９が現ページになる。このため、テレテキスト受信機は、当該インターバルの終わりまでカウントダウンするタイマーを用いることになる。一方、選択された完全なページ番号は、ページ番号フィールド３２における現ページの番号に代えてスクリーン画像３０又は当該ページのどこかに示すことができる。こうして、ユーザは、選択されたページ番号が所望のページ番号に対応するかどうかを判定することができる。これをすると、ユーザが何も動作を起こす必要がなく、選択された完全なページ番号を有するページは、当該時間インターバルが経過した後に現ページとなる。
【００６９】
表示された完全なページ番号が所望のページ番号でない場合、ユーザは、当該時間インターバル内でさらなるページ選択コマンドを発することができる。こうして、その選ばれた完全なテレテキストページ番号が所望のテレテキストページ番号ではないことの表示をすることによって、ユーザは、テーブル３３又はテーブル３３のサブセット３６から確率値に基づいて第２の完全テレテキストページ番号が選択されることを確実にすることができる。
【００７０】
図５の実施例においては、「ザップ」（切換）キーが用いられる。これは、リモコン２における専用の機能キー３７とすることができる。或いは、数値キー３の１つが二重の役目を担うものとすることもできる。ユーザが所望のページ番号の他の桁を入力することも可能であり、かかる場合には、当該第２の桁に基づいて、関連するテーブル登録事項の新しいサブセット３６を判定し検索することができる。
【００７１】
図５の実施例の好ましい代替例としては、他の複数の完全なテレテキストページ番号がテーブル３３から確率値に基づいて選択され、その選択されたページ番号がユーザに提示されて選べるようにした実施例が挙げられる。例えば、サブセット３６に係る最も可能性の高い５つのページ番号をリストに又はページ番号フィールド３２に連続して示すことができる。専用の機能キー３７又は数値キー３の１つは、当該所望の番号において完全なページ番号の連続情報を休止又は停止させることに用いることができる。かかる番号がリストに示される場合、当該リストからの完全なページ番号の選択を可能とするために、カーソル及びカーソル制御手段が本発明の一部として設けられる。
【００７２】
当業者であれば、本発明が上述した実施例に限定されないことは明らかであり、請求項の範囲において数多くの形態に変形させることができる。特に、関連するテーブル登録事項を判定するための種々の判断基準は、互いに排除し合うものではなく、説明の簡明さを高めるために個別に述べたに過ぎない。例えば、現在選択されているチャネルと現在選択されているページの番号との双方を当該テーブルから完全なテレテキストページ番号を選択するための基礎として用いることは有利である。このような実施例におけるテーブルが、適切な構成を持つことになる。また、テーブルにおける列及び行において登録事項を分配することを詳細に開示したことは、本発明の必須な点ではない。
【００７３】
本発明は次のように要約される。テレテキストページを選択する方法において、ユーザが所望のテレテキストページ番号における少なくとも第１の桁を入力し、ページ番号と望まれている対応ページの確率の値との組み合わせを有するテーブル（３３）が参照される。このテーブル（３３）は、前に選択されたページのヒストグラムである。完全なテレテキストページ番号は、所望のテレテキストページ番号の一部が入力された後に当該確率の値に基づいてテーブル（３３）から選択され、現在表示されているページに依拠するものとすることができる。確率情報も「ザップ」（切換）ボタンによるページ選択において用いることができる。このボタンが押されると、次に可能性の高いページが表示される。
【図面の簡単な説明】
【００７４】
【図１】本発明による方法が実現されたテレビジョンセット及びリモートコントローラを示す図。
【図２】本発明を用いるのに適したテレビジョン受信装置の幾つかの基本的部成要素の構成を概略的に示す図。
【図３】欧州規格ＥＴＳ３００７０６準拠テレテキストサービスの構成を概略的に示す図。
【図４】テレテキストページの一例を概略的に示す図。
【図５】本発明による方法の一実施例のフローチャートを概略的に示す図。
【図１】
2005510906.tif 000005
【図２】
2005510906.tif 000006
【図３】
2005510906.tif 000007
【図４】
2005510906.tif 000008
【図５】
2005510906.tif 000009
【国際調査報告】
2005510906.tif 000010
2005510906.tif 000011